(57)【特許請求の範囲】
【請求項１】
リ−ルの対向する部材間に液体の浸入を防止する弾性シ−ル部材が介在されている魚釣用リ−ルにおいて、前記弾性シ−ル部材は、一方の対向する部材の開口部の内周面に先端外側が摺接する弾性作用部と、他方の対向する部材に装着される装着部と、前記弾性作用部と装着部との間を繋ぐ中間部及び連結部とで形成され、該中間部を薄肉状に形成すると共に該中間部より前記弾性作用部を肉厚に形成し、該弾性作用部と中間部を前記連結部に対して逆円錐形状に形成したことを特徴とする魚釣用リ−ル。
【発明の詳細な説明】
【０００１】
【発明の属する技術分野】
本発明は、スプ−ル内やリ−ル本体内に収容した制動部材や軸受に対する防水、防塵の向上を図った魚釣用リ−ルの改良に関する。
【０００２】
【従来の技術】
魚釣用リ−ルは、海水、水、砂、塵埃、異物等が付着浸入し易い環境の厳しい過酷な釣場で使用されることより、耐食性の良好な材料や表面処理がリ−ル本体を構成する各部材に施されていると共に、海水、水、砂、塵埃、異物等がリ−ル本体内浸入への防止を図り、各部が支障なく機能するために、制動装置を収容したスプ−ルに防水、防塵構造を備えたものが、実用新案登録第２５６２７１３号公報や特開平１１−１９６７２９号公報等で知られている。
前記前者の実用新案登録第２５６２７１３号公報の構成は、スプ−ル前方の開口部前面とドラグノブ後面との間に弾性シ−ル部材を介在した構造で、前記後者の特開平１１−１９６７２９号公報の構成は、ドラグノブ後面と制動板前面との間にスプ−ルに接触するシ−ル部材を介在した構造であり、これら、シ−ル部材により、制御装置内部への不純物の浸入防止を図るようにしたものである。
【０００３】
しかしながら、スプ−ル前面のドラグノブとの間隙より、海水、水、砂、塵埃、異物等が浸入付着して溜まりやすく、防水性が不十分でドラグ性能が低下したり、内部に付着した不純物を除去する必要が生じたり、又、その作業を容易に釣場で行えない。
又、前記前者のスプ−ル前面の凹部や前記後者のスプ−ルリングカラ−の内周面に摺接する一枚の皿状のシ−ル板を設けた構成では、対向する部材の、スプ−ルとドラグノブ、又はスプ−ルリングカラ−とシ−ル板を取り付けた第２部材の間の振れや変形が起きる時、振れを許容するようにシ−ル板の摺接部の接触圧を高めるために、肉厚に形成したり、或は接触量（面積）を多くしたり等の対応を図ることになるが、厚さを厚くすると、回転が重くなり、スム−ズなドラグ力の調節操作が出来なくなってしまう。
【０００４】
両軸受型リ−ルでドラグ制動調整ツマミとリ−ル本体の間に前記一枚の皿状のシ−ル板を設けた構成では、前記と同様の理由で回転が重くなると、ハンドル軸の回転方向に対する接触抵抗が大きくなって軽快な釣糸の巻き取り回転操作が出来なくなってしまう。
回転を軽くする為に摺接部を薄くすると接触圧の弱いところが出来て防水できなくなる欠点がある。
又、長期間の使用により、接触抵抗が大きいことの影響により、シ−ル板の摺接部の摩耗や損傷が促進され、充分な防水性能を安定して維持できない等の課題が残されている。
【０００５】
【発明が解決しようとする課題】
解決しようとする問題点は、一枚の皿状のシ−ル板を対向する部材間に設けた防水構成では、対向する部材間に起きる振れや変形を許容するようにシ−ル板の摺接部の接触圧を高めるために、肉厚に形成したり、或は接触量を多くしたり等の対応を図ることになるが、厚さを厚くすると、回転が重くなり、スム−ズなドラグ力の調節操作が出来なくなってしまったり、ドラグ制動調整ツマミではハンドル軸の回転方向に対する接触抵抗が大きくなって軽快な釣糸の巻き取り回転操作が出来なくなってしまい。
回転を軽くする為に摺接部を薄くすると接触圧の弱いところが出来て防水できなくなる欠点があることである。
【０００６】
本発明の目的は前記欠点に鑑み、対向する部材間に起きる振れや変形を弾性シ−ル部材で吸収して軽い回転性能と高い安定した防水性能が得られる魚釣用リ−ルを提供することである。
【０００７】
【課題を解決するための手段】
上記課題を解決するために、
請求項１に係わる本発明は、リ−ルの対向する部材間に液体の浸入を防止する弾性シ−ル部材が介在されている魚釣用リ−ルにおいて、前記弾性シ−ル部材は、一方の対向する部材の開口部の内周面に先端外側が摺接する弾性作用部と、他方の対向する部材に装着される装着部と、前記弾性作用部と装着部との間を繋ぐ中間部及び連結部とで形成され、該中間部を薄肉状に形成すると共に該中間部より前記弾性作用部を肉厚に形成し、該弾性作用部と中間部を前記連結部に対して逆円錐形状に形成したことを要旨とするものである。
【０００８】
【発明の実施の形態】
請求項１の本発明により、
環状弾性シ−ル部材５の弾性作用部５ａは厚肉状に形成され、中間部５ｄは弾性作用部５ａと装着部５ｂより薄肉に形成することで、装着部５ｂが取り付けられた固定側の他方の対向する部材４と、弾性作用部５ａが摺接される摺動側の回転体となる一方の対向する部材１８の縁部内周面の間に振れや偏芯が存在しても、厚肉状の弾性作用部５ａが回転体にならい易く、弾性作用部５ａの接触圧を下げる事が出来るので、回転抵抗が減り、回転体がスム−ズに回転でき、軽い回転性能と高い防水性能が得られる。又、中間部５ｄは弾性作用部５ａと装着部５ｂより薄肉に形成することで、弾性作用部５ａと装着部５ｂとの間の偏芯や振れをより効果的に除去出来、接触圧を低くしても回転体を弾性作用部がより追従し易くなる。
【０００９】
【実施例】
以下、図示の実施例によって本発明を説明すると、図１から図５は第１実施例で魚釣用リ−ルをフロントドラグ方式の魚釣用スピニングリ−ルで述べると、図１は魚釣用リ−ルのスプ−ルとスプ−ル軸の要部断面平面図と一部拡大断面平面図、図２はスプ−ルの分解断面平面図、図３はスプ−ル軸とスプ−ル支持部材の拡大断面平面図、図４は押圧部材の拡大平面図、図５はクリック係合子の拡大平面図である。
【００１０】
魚釣用スピニングリ−ルは、図示しないリ−ル本体に回動不能に支持されて前側に突出されたスプ−ル軸１の先端にスプ−ル２が取り付けられている。
スプ−ル軸１は太径部１ａの先端側に段部で太径部１ａより小径の小径部１ｂが形成され、先端にネジ部１ｃが形成されている。
小径部１ｂには軸方向と直交する透孔１ｄが穿設されている。
小径部１ｂ外周には筒状のスプ−ル支持部材３と軸受１０と筒状のスプ−ル支持部材３′が嵌合されている。
【００１１】
スプ−ル２は、内側軸筒部２ａと、内側軸筒部２ａより大径の筒部２ｂと、内側軸筒部２ａの前側の凹部からなる制動部材Ａの開口収容部２ｃと、開口収容部２ｃの周面に形成された複数条の軸方向の縦溝２ｄと、開口収容部２ｃより前側の凹部からなる開口部２ｅと、開口部２ｅの周面に形成されたネジ部２ｆと、大径の筒部２ｂ内周に形成されたクリック凹凸歯２ｇと、釣糸が巻回される外周の釣糸巻回胴部２ｈと、前側の鍔部２ｉと、後側の大径の筒部２ｊとで形成されている。
【００１２】
凹部からなる制動部材Ａの開口収容部２ｃには制動部材Ａの摩擦板１１と制動板１２と摩擦板１１と制動板１３と摩擦板１１と制動板１２と摩擦板１１が収容され、凹部からなる開口部２ｅにはＯリングからなる弾性シ−ル部材１４とクリック機構Ｂの皿状のラチェットリング１５と皿状のクリック係合子ホルダ−からなる押圧部材１６が収容される。
前側の鍔部２ｉの前側には段部２ｋが形成されて硬質のリング状の鍔部１７が段部２ｋに嵌められるように鍔部２ｉに重ねられてナット部材１８で取り付けられている。
【００１３】
スプ−ル支持部材３は筒部３ａの後端に２段の鍔部３ｂ、３ｃが形成され、鍔部３ｃの前側に周溝３ｄが、内側に逃げ凹部３ｅが形成されている。
鍔部３ｃの前側の筒部３ａ外周に摩擦板１９が嵌合されている。
スプ−ル支持部材３′は筒部３ｆに軸方向と直交する透孔３ｇが穿設されている。
筒部３ｆの後端内側に逃げ凹部３ｈが形成されている。
透孔３ｇと透孔１ｄには係合ピン２０が挿脱自在に挿入される。
スプ−ル支持部材３の筒部３ａの周溝３ｄにＯリングからなる弾性シ−ル部材２１が嵌合されている。
【００１４】
スプ−ル支持部材３′の筒部３ｆの外周には軸受２２が嵌合されている。
軸受１０と軸受２２の外周にはスプ−ル２の内側軸筒部２ａが嵌合され、スプ−ル２の内側軸筒部２ａより前側の筒部３ｆ外周には制動部材Ａの摩擦板１１と制動板１２と摩擦板１１と制動板１３と摩擦板１１と制動板１２と摩擦板１１とクリック機構Ｂの皿状のラチェットリング１５と皿状のクリック係合子ホルダ−からなる押圧部材１６が嵌合されている。
制動板１２の外周の突起は縦溝２ｄでスプ−ル２に回り止めされている。
制動板１３の中心透孔と皿状のラチェットリング１５の中心透孔１５ａはスプ−ル支持部材３′の筒部３ｆ外周に回り止め嵌合されている。
係合ピン２０が挿脱自在に挿入されたスプ−ル軸１の透孔１ｄとスプ−ル支持部材３′の透孔３ｇは、軸受２２で閉塞されている。
皿状のラチェットリング１５は底面中心に中心透孔１５ａが、外周壁１５ｂの内周にクリック凹凸歯１５ｃが形成されている。
【００１５】
皿状のクリック係合子ホルダ−からなる押圧部材１６は図１から図３のように、内側の底面１６ａと、底面１６ａの外側の押圧面１６ｂと、底面１６ａの中心透孔１６ｃと、外周壁１６ｄと、外周壁１６ｄに穿設された透孔１６ｅ、１６ｆと回り止め用切欠き１６ｇ、１６ｇとで形成されている。
クリック係合子ホルダ−からなる押圧部材１６の中にはクリック係合子２３が取り付けられている。
クリック係合子２３は図５のように円弧部２３ａと、円弧部２３ａが開放された係止部２３ｂ、２３ｂと、並行な摺動案内部分２３ｃ、２３ｃと山形傾斜部分２３ｄで形成されている。
【００１６】
クリック係合子ホルダ−からなる押圧部材１６の外周壁１６ｄ内にクリック係合子２３が挿入されて透孔１６ｅの中に摺動案内部分２３ｃ、２３ｃと山形傾斜部分２３ｄが挿入され、透孔１６ｆ内の両縁に係止部２３ｂ、２３ｂが係止される。
山形傾斜部分２３ｄは皿状のラチェットリング１５の外周壁１５ｂの内周に形成されたクリック凹凸歯１５ｃに係合される。
クリック係合子ホルダ−からなる押圧部材１６はドラク調整部材４に取り付けられ、ドラク調整部材４とクリック係合子ホルダ−からなる押圧部材１６の間に環状弾性シ−ル部材５が挾み込まれている。
ドラク調整部材４はドラク調整部材４の内側に回り止め嵌合されたナット体２４のナット部２４ａがスプ−ル軸１の先端のネジ部１ｃに螺合されることでスプ−ル軸１に取り付けられている。
【００１７】
ナット部材１８は筒部１８ａと、鍔部１８ｂと、筒部１８ａ外周のネジ部１８ｃと、鍔部１８ｂの内側の凹部からなる開口部１８ｄで形成されている。
ネジ部１８ｃはスプ−ル２のネジ部２ｆに螺合されると共に筒部１８ａの先端でＯリングからなる弾性シ−ル部材１４が押圧される。
ドラク調整部材４とクリック係合子ホルダ−からなる押圧部材１６の間に挾み込まれた環状弾性シ−ル部材５は、ナット部材１８の開口部１８ｄの縁部内周面に摺接されている。
【００１８】
環状弾性シ−ル部材５は硬質ゴム等で肉厚の弾性作用部５ａと、装着部５ｂと、連結部５ｃと、弾性作用部５ａと装着部５ｂとの間の薄肉状の中間部５ｄとで形成されている。
肉厚の弾性作用部５ａと薄肉状の中間部５ｄは垂直方向の連結部５ｃに対して逆円錐形状に形成され、肉厚の弾性作用部５ａの外側は薄肉状の中間部５ｄの外側と同一平面上に形成されている。
弾性作用部５ａの先端外側は一方の対向する部材のナット部材１８の開口部１８ｄの縁部内周面に摺接され、装着部５ｂは他方の対向する部材のドラク調整部材４とクリック係合子ホルダ−からなる押圧部材１６の間にワッシャ２５を挾んで挾み込まれ、中間部５ｄは弾性作用部５ａの接触時の変形を許容するように薄肉状に形成されている。
【００１９】
ドラク調整部材４の表面にはツマミ操作部４ａが、裏面には筒部４ｂと数条の腕部４ｃが形成されて腕部４ｃの先端に鈎部４ｄが形成されている。
鈎部４ｄはクリック係合子ホルダ−からなる押圧部材１６の透孔１６ｅ、１６ｆに係止されてドラク調整部材４と環状弾性シ−ル部材５とクリック係合子ホルダ−からなる押圧部材１６が一体化されている。
筒部４ｂの内面には回り止め面４ｅが形成されてナット体２４に形成された回り止め面２４ｂが係合される。
ナット体２４と皿状のクリック係合子ホルダ−からなる押圧部材１６の底面１６ａの間には発条２６が挿入されている。
【００２０】
スプ−ル支持部材３の鍔部３ｃの外周には皿状のクリック係合子ホルダ−からなる押圧部材１６と略同形の皿状のクリック係合子ホルダ−１６′の中心透孔１６ｈが回り止め嵌合され、皿状のクリック係合子ホルダ−１６′の中にはクリック係合子２３と略同形のクリック係合子２３′が取り付けられている。
クリック係合子２３′の山形傾斜部分２３ｄはスプ−ル２のクリック凹凸歯２ｇに係合される。
【００２１】
スプ−ル軸１の先端にスプ−ル２と、制動部材Ａと、ドラク調整部材４と一体化されたクリック機構Ｂとが組み込まれる時は、スプ−ル軸１の小径部１ｂ外周に筒状のスプ−ル支持部材３と軸受１０と筒状のスプ−ル支持部材３′が嵌合されて透孔３ｄと透孔１ｄに係合ピン２０が挿入されると共にスプ−ル支持部材３′の筒部３ｆの外周に軸受２２が嵌合される。
次にスプ−ル支持部材３′の筒部３ｆの外周に制動部材Ａと、ドラク調整部材４と一体化されたクリック機構Ｂが嵌合されてスプ−ル軸１の先端のネジ部１ｃにドラク調整部材４の内側のナット体２４のナット部２４ａが螺合される。
【００２２】
前記のように環状弾性シ−ル部材５の厚肉状の弾性作用部５ａの先端は摺動側の釣糸がスプ−ルから繰り出される回転で回転体となる一方の対向する部材のナット部材１８の開口部１８ｄの縁部内周面に摺接され、装着部５ｂは固定側の他方の対向する部材のドラク調整部材４とクリック係合子ホルダ−からなる押圧部材１６の間にワッシャ２５を挾んで挾み込まれ、中間部５ｄは弾性作用部５ａの接触時の変形を許容するように薄肉状に形成されているので、一方の対向する部材と他方の対向する部材間の振れや変形を弾性シ−ル部材５の中間部分に形成された中間部５ｄの弾性変形作用で吸収できる。
中間部５ｄが薄肉状に形成されて接触時の変形を許容するよう構成されているので、弾性作用部５ａの部材周面に対する接触圧が充分に確保できる。
【００２３】
前記のように魚釣用リ−ルが構成されると、環状弾性シ−ル部材５の弾性作用部５ａは厚肉状に形成され、中間部５ｄは弾性作用部５ａと装着部５ｂより薄肉に形成することで、装着部５ｂが取り付けられた固定側の他方の対向する部材のドラク調整部材４とクリック係合子ホルダ−からなる押圧部材１６と、弾性作用部５ａが摺接される摺動側の釣糸がスプ−ルから繰り出される回転で回転体となる一方の対向する部材のナット部材１８の開口部１８ｄの縁部内周面の間に振れや偏芯が存在しても、厚肉状の弾性作用部５ａが回転体にならい易く、弾性作用部５ａの接触圧を下げる事が出来るので、回転抵抗が減り、回転体がスム−ズに回転でき、軽い回転性能と高い防水性能が得られる。
中間部５ｄは弾性作用部５ａと装着部５ｂより薄肉に形成することで、弾性作用部５ａと装着部５ｂとの間の偏芯や振れをより効果的に除去出来、接触圧を低くしても回転体を弾性作用部がより追従し易くなる。
【００２４】
図６は第２実施例で魚釣用リ−ルをフロントドラグ方式の魚釣用スピニングリ−ルで述べると、図６は魚釣用リ−ルのスプ−ルとスプ−ル軸の一部拡大断面平面図である。
【００２５】
第２実施例では、環状弾性シ−ル部材５は硬質ゴム等で肉厚の弾性作用部５ｅと、装着部５ｂと、連結部５ｃと、弾性作用部５ｅと装着部５ｂとの間の薄肉状の中間部５ｄとで形成されている。
肉厚の弾性作用部５ｅと薄肉状の中間部５ｄは垂直方向の連結部５ｃに対して逆円錐形状に形成され、肉厚の弾性作用部５ｅの外側は薄肉状の中間部５ｄの内側と同一平面上に形成されている。
他の構成は前記第１実施例と略同一である。
【００２６】
図７は第３実施例で魚釣用リ−ルをフロントドラグ方式の魚釣用スピニングリ−ルで述べると、図７は魚釣用リ−ルのスプ−ルとスプ−ル軸の一部拡大断面平面図である。
【００２７】
第３実施例では、環状弾性シ−ル部材５は硬質ゴム等で肉厚の弾性作用部５ｆと、装着部５ｂと、連結部５ｃと、弾性作用部５ｆと装着部５ｂとの間の薄肉状の中間部５ｄとで形成されている。
肉厚の弾性作用部５ｆと薄肉状の中間部５ｄは垂直方向の連結部５ｃに対して逆円錐形状に形成され、肉厚の弾性作用部５ｆは先端が膨出形状に形成されている。
他の構成は前記第１実施例と略同一である。
【００２８】
図８は第４実施例で魚釣用リ−ルをフロントドラグ方式の魚釣用スピニングリ−ルで述べると、図８は魚釣用リ−ルのスプ−ルとスプ−ル軸の一部拡大断面平面図である。
【００２９】
第４実施例では、環状弾性シ−ル部材５は硬質ゴム等で肉厚の弾性作用部５ｇと、装着部５ｂと、弾性作用部５ｇと装着部５ｂとの間の薄肉でジャバラ状の中間部５ｈとで形成されている。
他の構成は前記第１実施例と略同一である。
【００３０】
図９は第５実施例で魚釣用リ−ルをフロントドラグ方式の魚釣用スピニングリ−ルで述べると、図９は魚釣用リ−ルのスプ−ルとスプ−ル軸の一部拡大断面平面図である。
【００３１】
第５実施例では、環状弾性シ−ル部材５は硬質ゴム等で肉厚の弾性作用部５ｉと、装着部５ｂと、弾性作用部５ｉと装着部５ｂとの間の薄肉状の中間部５ｄとで形成され、弾性作用部５ｉと中間部５ｄは装着部５ｂから水平方向に突出されている。
肉厚の弾性作用部５ｉの先端は膨出形状に形成されている。
肉厚の弾性作用部５ｉの下側は薄肉状の中間部５ｄの下側と同一平面上に形成されている。
他の構成は前記第１実施例と略同一である。
【００３２】
図１０から図１２は第６実施例で魚釣用リ−ルをリアドラグ方式の魚釣用スピニングリ−ルで述べると、図１０は魚釣用スピニングリ−ルの断面側面図、図１１はリ−ル本体前側の拡大断面側面図、図１２はリア側リ−ル本体とドラグ調整部材の拡大断面側面図である。
【００３３】
魚釣用スピニングリ−ルで、リ−ル本体６の前部には軸受２７で回転軸筒２８が回転自在に軸受されると共に前側に突出されている。
軸受２７より前側の回転軸筒２８の外周にロ−タ２９の筒部２９ａが回り止め嵌合されて回転軸筒２８先端のネジ部２８ａに袋ナット３０で固定されている。
リ−ル本体６の前部には大径の筒部６ａが形成されている。
ロ−タ２９の筒部２９ａ外周には周溝２９ｂが形成されて環状弾性シ−ル部材５の装着部５ｂが嵌合されている。
【００３４】
環状弾性シ−ル部材５は硬質ゴム等で肉厚の弾性作用部５ｉと、装着部５ｂと、連結部５ｃと、弾性作用部５ｉと装着部５ｂとの間の薄肉状の中間部５ｄとで形成されている。
肉厚の弾性作用部５ｉと薄肉状の中間部５ｄは垂直方向の連結部５ｃに対して逆円錐形状に形成され、肉厚の弾性作用部５ｉは先端が膨出形状に形成されている。
弾性作用部５ｉは筒部６ａの内周面６ｂに摺接されている。
【００３５】
袋ナット３０の前側には凹部３０ａが形成されて軸受３１と環状弾性シ−ル部材５′が挿入されている。
環状弾性シ−ル部材５′は硬質ゴム等で肉厚の弾性作用部５ｉと、装着部５ｂと、連結部５ｊと、弾性作用部５ｉと装着部５ｂとの間の薄肉状の中間部５ｄとで形成されている。
肉厚の弾性作用部５ｉは先端が膨出形状に形成されている。
装着部５ｂに対して連結部５ｊは水平方向に突出され、中間部５ｄは連結部５ｊから斜め方向に突出されている。
軸受３１と肉厚の弾性作用部５ｉはスプ−ル軸１の太径部１ａ外周に嵌合されている。
【００３６】
回転軸筒２８の基端は軸受部６ｃで回転自在に軸承され、基端の前側に一体的に形成されたピニオン２８ｂに駆動歯車３２が噛合されてロ−タ２９はハンドル３３の回転に連動して回転されるように支持されている。
リ−ル本体６内の両側壁に駆動歯車３２の回転軸３２ａが図示しない軸受で軸支され、回転軸３２ａの中心多角形孔にハンドル３３が固定されたハンドル軸３４が左右交換自在に挿入嵌合されている。
【００３７】
回転軸筒２８の中心孔には先端にスプ−ル２′が取り付けられたスプ−ル軸１の太径部１ａが前後往復動可能に摺動自在に挿入されると共に、太径部１ａに軸受３１が嵌合され、スプ−ル軸１の後側部１ｅ外周に摺動子３５が係止板３６で取り付けられている。
リ−ル本体６内の回転軸筒２８のピニオン２８ｂより前側に連動歯車３７が回転軸筒２８に回り止め嵌合されている。
リ−ル本体６内にはスプ−ル軸１と平行に摺動機構のトラバ−スカム軸３８が軸受部６ｃとリ−ル本体６の後側に穿設された軸穴６ｄに挿入されて支承されている。
トラバ−スカム軸３８の先端には小歯車３９が回り止め嵌合されて小歯車３９は前記連動歯車３７に噛合されている。
トラバ−スカム軸３８には摺動子３５が嵌合されて摺動子３５に設けた係合子４０の爪がトラバ−スカム溝に係合されている。
【００３８】
スプ−ル軸１の太径部１ａには段部１ｆで先端小径部１ｇと、その外周に回り止め部１ｈと、周溝１ｉと、傾斜面１ｊで台形部が、後側部１ｅには延長部１ｋと回り止め部１ｍが形成されている。
スプ−ル２′は釣糸巻回胴部２ｈと前側鍔部２ｉと後側の大径の筒部２ｊと、前側の凹部２ｍと中心貫通孔２ｎと、凹部２ｍの雌ネジ２ｏと筒部２ｊ内の背面２ｐとで形成されている。
スプ−ル軸１の小径部１ｇはスプ−ル２′の中心貫通孔２ｎに嵌合固定された軸受スリ−ブ４１に回動自在に嵌合されて周溝１ｉと発条４２で抜け止めされ、発条４２は２本の平行の折曲部と円周部がクリップ状に一体に形成されている。
更に小径部１ｇにラチェット歯車４３とワッシャ−４４が嵌合されて段部１ｆとスプ−ル２′の背面２ｐで挟まれている。
【００３９】
前側の凹部２ｍには発条４２が周方向に遊動可能に挿入されると共にワッシャ−４５が挿入され、凹部２ｍの雌ネジ２ｏにキャップ４６の雄ネジが螺合されている。
キャップ４６の筒孔４６ａ内には押ボタン４７が前後に進退自在に嵌合され、キャップ４６の筒孔４６ａ内一側には数条の軸方向の溝からなる係止部４６ｂが形成されている。
押ボタン４７は外周筒部４７ａが筒孔４６ａ内に嵌合され、筒部４７ａに係合部４７ｂが突出形成されて係止部４６ｂに係合されている。
押ボタン４７の後部には円筒部４７ｃが突出形成され、円筒部４７ｃの上下に傾斜面４７ｄ、４７ｄで尖頭部４７ｅが形成されている。
尖頭部４７ｅの先端は前記発条４２の２本の平行の折曲部の間隔より狭く形成されている。
【００４０】
ロ−タ２９は筒部２９ａで回転軸筒２８に取り付けられ、筒部２９ａと前壁２９ｃと大径の筒部２９ｄと大径の筒部２９ｄの基部２９ｅ、２９ｆの外周から前方に向けて突出された一対の支持腕２９ｇ、２９ｈとで形成されている。
一対のベ−ル支持腕２９ｇ、２９ｈの先端部外側に一方のベ−ル支持部材４８と他方のベ−ル支持部材４９がビスで釣糸巻取位置と釣糸放出位置に反転自在に軸承されている。
一方のベ−ル支持部材４８の先端には釣糸案内部Ｃを構成するベ−ル取付部５０と釣糸案内ロ−ラ５１が取り付けられている。
ベ−ル取付部５０と他方のベ−ル支持部材４９の間にベ−ル５２が設けられている。
【００４１】
リ−ル本体６の後側壁６ｅから後方に向けて筒部６ｆ、６ｇが突出されている。
筒部６ｆの外側に凹部の内周で構成される防水用摺接部６ｈが形成されている。
後側壁６ｅには透孔６ｉが穿設されて制動メタル部材７の一端が嵌合されている。
筒部６ｆ内には軸線方向に２条の溝部６ｊが形成されると共にネジ部６ｋが形成されている。
筒部６ｆの開口端側には軸線方向と直交する貫通孔６ｍが形成されている。
【００４２】
制動メタル部材７の中心には回り止め貫通孔７ａが穿設され、外周部７ｂに鍔部７ｃと、鍔部７ｃより後側に図示しない回り止め部とが形成されている。
スプ−ル軸１は後側部１ｅから更に後方に延長部１ｋが形成されて延長部１ｋ外周に回り止め部１ｍが形成され、延長部１ｋは回り止め貫通孔７ａに前後に移動自在に嵌合されている。
鍔部７ｃより前側の外周部７ｂに制動部材Ａの摩擦板１１が密着嵌合され、鍔部７ｃより後側の外周部７ｂに摩擦板１１と制動板１２、１３が嵌合され、回り止め部７ｄに制動板１３が回り止めされている。
制動板１２の外周に形成された凸部が２条の溝部６ｊに係合されて回り止めされている。
後側の制動板１２には押圧リング５３と発条２６が当てられ、押圧リング５３と発条２６にネジ部６ｋに螺合された押圧部材８が当てられている。
【００４３】
押圧部材８は外周にネジ部８ａが形成された大径筒部８ｂと、外側と内側の段部８ｃ、８ｄで中径の筒部８ｅと、筒部８ｅ内周のネジ部８ｆと、筒部８ｅ後側に段部で小径部８ｇと、この段部位置に係合凸部８ｈと、筒部８ｅ後端に段部でＯリング５４の保持部８ｉとで形成されている。
係合凸部８ｈは円周上に後側に向けて複数の突起状に形成されている。
小径部８ｇの外周にはドラグ調整部材４′の内側筒部４ｆが嵌合されている。
【００４４】
ドラグ調整部材４′は内側筒部４ｆと、内側筒部４ｆの先端に形成された係合凹部４ｇと、内側筒部４ｆに連結された外側筒部４ｈと、外側筒部４ｈの内周に形成されたクリック歯部４ｉと、外側筒部４ｈの前側先端外周に形成された係合凹部４ｊとで形成されている。
係合凹部４ｇは係合凸部８ｈに係合されている。
Ｏリング５４はネジ部８ｆに螺合されたネジ栓５５の鍔部５５ａで押圧されると共に筒部６ｆ内が防水されている。
【００４５】
ネジ栓５５は鍔部５５ａと、筒部５５ｂと、筒部５５ｂの外周のネジ部５５ｃとで形成されている。
貫通孔６ｍにはクリック発条５６が挿入されて爪部５６ａはクリック歯部４ｉに係合されている。
ドラグ調整部材４′の係合凹部４ｊには環状弾性シ−ル部材５″の装着部が嵌合されている。
【００４６】
環状弾性シ−ル部材５″は硬質ゴム等で肉厚の弾性作用部５ｉと、装着部５ｂと、弾性作用部５ｉと装着部５ｂとの間の薄肉状の中間部５ｄとで形成され、弾性作用部５ｉと中間部５ｄは装着部５ｂから直角方向に突出されている。
肉厚の弾性作用部５ｉの先端は膨出形状に形成されている。
肉厚の弾性作用部５ｉの先端は一方の対向する部材のリ−ル本体６の防水用摺接部６ｈに摺接され、装着部５ｆは他方の対向する部材のドラグ調整部材４′の係合凹部４ｊに嵌合されている。
中間部５ｄは弾性作用部５ｉの接触時の変形を許容するように形成されている。
【００４７】
第６実施例でドラグ制動力が調節される時は、ドラグ調整部材４′が回動されると、押圧部材８が軸方向に前進後されて前進された時に、制動部材Ａの摩擦板１１と鍔部７ｃと摩擦板１１と制動板１２、１３と押圧リング５３とコイル状の発条２６が押圧されて制動力が増大調節される。
更にドラグ調整部材４′が回動されると、環状弾性シ−ル部材５の弾性作用部５ａは弾性変形可能な中間部５ｄで変形が許容されて防水用摺接部６ｈに摺接されて前進後退され、ドラグ調整部材４′の中に水の浸入が防止される。
スプ−ル２′がスプ−ル軸１から外される時は、押ボタン４７が押し込まれて尖頭部４７ｅの前側の傾斜面４７ｄ、４７ｄで発条４２が押し広げられて離脱可能になる。
【００４８】
第６実施例では、一方の環状弾性シ−ル部材５の弾性作用部５ｉは固定側のリ−ル本体６の前側の筒部６ａの内周面６ｂに摺接され、装着部５ｂは回転側のロ−タ２９の筒部２９ａに嵌合されている。
他方の環状弾性シ−ル部材５′の弾性作用部５ｉは固定側のスプ−ル軸１の太径部１ａに摺接され、装着部５ｂは回転側の袋ナツト３０に嵌合されている。
更に他方の環状弾性シ−ル部材５″の弾性作用部５ｉは固定側のリ−ル本体６の後側の筒部６ｇの内周面６ｈに摺接され、装着部５ｂは回転側の調整部材４′に嵌合されている。
【００４９】
各環状弾性シ−ル部材５、５′、５″の弾性作用部５ｉと装着部５ｂの間に薄肉の中間部５ｄが設けられているので、固定側と回転側の間に振れや偏芯が存在しても、厚肉状の弾性作用部５ｉが回転体にならい易く、弾性作用部５ｉの接触圧を下げる事が出来るので、回転抵抗が減り、回転体がスム−ズに回転でき、軽い回転性能と高い防水性能が得られる。
高い防水性能が得られると、軸受２７とリ−ル本体６内と制動部材Ａ内や軸受３１内に水が浸入しない。
【００５０】
図１３、図１４は第７実施例で、図１３は魚釣用スピニングリ−ルの釣糸案内部の断面側面図、図１４は釣糸案内部の分解断面側面図である。
【００５１】
第７実施例では、第６実施例の一方のベ−ル支持部材４８の先端にスプ−ル２′に釣糸５７を案内する釣糸案内部Ｃが設けられている。
釣糸案内部Ｃは一方のベ−ル支持部材４８に透孔４８ａが穿設されて透孔４８ａに挿入された螺子５８がベ−ル取付部５０の軸部５９に形成されたネジ穴５９ａに螺合されてベ−ル取付部５０が取り付けられている。
軸部５９の中心にはネジ穴５９ａが形成され、軸部５９外周に段部からなる係止部５９ｂと小径部５９ｃが形成されて小径部５９ｃ外周に第５実施例と同形の環状弾性シ−ル部材５と、ボ−ルベアリング６０の内輪６０ａと、環状弾性シ−ル部材５と、係止部材６１の筒状の係止部６１ａが嵌合されている。
【００５２】
ベ−ル取付部５０は軸部５９と軸部５９の一側外側にアウトサ−ト成形された外装部６４とで形成されている。
係止部材６１はベ−ル取付部５０の小径部５９ｃ外周に嵌合固定される筒状の係止部６１ａとベ−ル支持部材４８の凹部４８ｂの底面に当接される鍔部６１ｂが形成されている。
釣糸案内ロ−ラ５１の外周には細溝状の釣糸案内部５１ａが形成されている。
環状弾性シ−ル部材５は弾性作用部５ｉと装着部５ｂとの間の薄肉状の中間部５ｄとで形成され、弾性作用部５ｉと中間部５ｄは装着部５ｂから垂直方向に突出されている。
肉厚の弾性作用部５ｉの先端は膨出形状に形成されている。
肉厚の弾性作用部５ｉは釣糸案内ロ−ラ５１の小径の透孔５１ｂと大径の透孔５１ｃの内周面に摺接されている。
【００５３】
第７実施例では、環状弾性シ−ル部材５の弾性作用部５ｉが釣糸案内ロ−ラ５１の大小の透孔５１ｂ、５１ｃの内周面に摺接され、装着部５ｂはベ−ル取付部５０の軸部５９に嵌合されて弾性作用部５ｉと装着部５ｂの間に薄肉の中間部５ｄが設けられているので、固定側と回転側の間に振れや偏芯が存在しても、厚肉状の弾性作用部５ｉが回転体にならい易く、弾性作用部５ｉの接触圧を下げる事が出来るので、回転抵抗が減り、回転体がスム−ズに回転でき、軽い回転性能と高い防水性能が得られる。
高い防水性能が得られると、ボ−ルベアリング６０内に水が浸入しない。
【００５４】
図１５、図１６は第８実施例で魚釣用リ−ルを両軸受型電動リ−ルで述べると、図１５は電動リ−ルの断面背面図、図１６はハンドル側の電動リ−ルの拡大断面背面図と要部断面背面図である。
【００５５】
電動リ−ルはリ−ル本体Ｄが側枠６′の左右両側枠６ｎ、６ｏと図示しない支柱と指載せ板とリ−ル脚６２の固定板６ｎが一体に、かつ左右両側枠６ｎ、６ｏが平行に保持されて左右両側枠６ｎ、６ｍの外側には夫々リ−ル本体Ｄの側板６３、９が取り付けられている。
側板６３、９の夫々内側の両側枠６ｎ、６ｏ間にはスプ−ル２″が回転可能に支持されてスプ−ル２″の釣糸巻回部２ｑの胴部内２ｒに電動モ−タ６４が設けられ、スプ−ル２″は電動モ−タ６４と側板９の外側に設けたハンドル６５で回転される。
スプ−ル２″の上部前方の領域の左右両側枠６ｎ、６ｏ上には制御回路と電動モ−タ６４のモ−タ制御手段等が収容された制御ボックス６６が載せられて取り付けられている。
【００５６】
制御ボックス６６上には左側枠６ｎの右側に設けられた糸長測定装置Ｅで計測された糸長やその他の表示を行う液晶の表示部６７と各種機能スイッチの操作釦が設けられている。
電動リ−ルは左側枠６ｎの中心孔６ｐに固定部材６８の軸部６８ａが挿入されて雄ネジ６８ｂにナット６９が螺合されて側枠６ｎに固定部材６８が固定されている。
固定部材６８には電動モ−タ６４のモ−タ本体の一側が固定され、固定部材６８の外周にはボ−ルベアリング７０を介して回転盤状支持部７１の軸受部が回転自在に支持されている。
スプ−ル２″の一側フランジ部２ｓには回転盤状支持部７１がビス７２で固定されている。
【００５７】
側板９内の側枠６ｏには回転盤状内側板７３が固定され、内側板７３にボ−ルベアリング７４を介して回転盤７５が回転自在に保持され、回転盤７５にスプ−ル２″の他側フランジ部２ｔがビス７６で固定されている。
従ってスプ−ル２″は一側に固定された回転盤状支持部７１と、他側に固定された回転盤７５とがボ−ルベアリング７０、７４を介して固定部材６８と回転盤状内側板７３に夫々回転自在に保持され、固定部材６８と内側板７３は左側枠６ｎと右側枠６ｏに固定されている。
スプ−ル２″の他側の空胴部内には遊星歯車による駆動機構Ｆが収容され、電動モ−タ６４の他側から突出された回転軸７７にはピニオン７８が固定されて駆動機構Ｆの歯車に噛合されている。
【００５８】
駆動機構Ｆの出力は前記回転盤７５の中心に嵌合された回転体７９に伝達され、回転体７９の一側中心にはメタル軸受８０が固定され、メタル軸受８０と回転体７９の中心孔に夫々回転軸７７と側板９に固定された支持軸８１が嵌合されている。
支持軸８１の外周には駆動ピニオン８２が嵌合され、駆動ピニオン８２と回転体７９に形成されたクラッチ部が係脱自在に組み合わされてクラッチ操作体８３の操作レバ−で係脱操作がなされる。
【００５９】
側板９の上側に透孔９ａが形成されてクラッチ操作体８３が回動自在に嵌合されている。
クラッチ操作体８３は回動部８３ａと側板９の透孔９ａから外側に突出した回動部８３ａに操作レバ−８３ｂが一体的に取り付けられている。
側板９内の回動部８３ａにはピン８３ｃが固定されてピン８３ｃはクラッチ作動板８４の長孔の係合部８４ａに挿入されている。
駆動ピニオン８２には駆動歯車８５が噛合されて駆動歯車８５は制動部材Ａを介してハンドル軸８６に摩擦結合されるように構成され、ハンドル軸８６は回転盤状内側板７３と側板９に回転自在に支持されて側板９から突出されたハンドル軸８６にハンドル６５が取り付けられている。
【００６０】
駆動歯車８５はハンドル軸８６に回動自在にかつ軸方向に移動可能に嵌合されると共に、駆動歯車８５の凹部内に収容された摩擦板１１と制動板１２、１３で摩擦結合されている。
ハンドル軸８６の一端は右側枠６ｏの円盤状内側板７３の透孔７３ａにメタル軸受８７を介して取り付けられ、ハンドル軸８６の他端は側板９の透孔９ｂに嵌合された軸受８８を介して軸承されている。
【００６１】
ハンドル軸８６には爪車８９と制動板１２と押圧体９０が回り止め嵌合され、駆動歯車８５と摩擦板１１と制動板１３と発条９１、９２が回動自在に嵌合されている。
制動板１２は駆動歯車８５内に回り止め嵌合されている。
ハンドル軸８６にはネジ部が形成されてナット９３が螺合され、ナット９３外周にドラグ制動調整ツマミ９４が回り止め嵌合されている。
ドラグ制動調整ツマミ９４には側板９側に向けて筒部９４ａが形成され、筒部９４ａの内周は防水用摺接部９４ｂに形成されている。
【００６２】
側板９の透孔９ｂより外側に突出した筒部９ｃの外側外周には係合凹部９ｄが形成されて係合凹部９ｄに環状弾性シ−ル部材５の装着部が嵌合されている。
環状弾性シ−ル部材５は第６実施例の一方の環状弾性シ−ル部材５と類似形状で、硬質ゴム等で肉厚の弾性作用部５ｉと、装着部５ｂと、連結部５ｃと、弾性作用部５ｉと装着部５ｂとの間の薄肉状の中間部５ｄとで形成されている。
肉厚の弾性作用部５ｉと薄肉状の中間部５ｄは垂直方向の連結部５ｃに対して逆円錐形状に形成され、肉厚の弾性作用部５ｉは先端が膨出形状に形成されている。
弾性作用部５ｉの先端は一方の対向する部材のドラグ制動調整ツマミ９４の防水用摺接部９４ｂに摺接され、装着部５ｂは他方の対向する部材の側板９の係合凹部９ｄに嵌合されている。
中間部５ｄは弾性作用部５ｉの接触時の変形を許容するように形成されている。
【００６３】
第８実施例でドラグ制動力が調節される時は、ドラグ制動調整ツマミ９４が回動されると、ナット９３が軸方向に前進後されて前進された時に、発条９１、９２と押圧体９０と制動部材Ａの摩擦板１１と制動板１２、１３が駆動歯車８５方向に押圧されて制動力が増大調節される。
更にドラグ制動調整ツマミ９４が回動されると、環状弾性シ−ル部材５の弾性作用部５ｉは弾性変形可能な中間部５ｄで変形が許容されて防水用摺接部９４ｂに摺接されて前進後退され、側板９内の駆動歯車８５の中に水の浸入が防止される。
【００６４】
【発明の効果】
本発明は、以上説明したような形態で実施され、以下に記載されるような効果を奏する。
【００６５】
請求項１により、弾性シ−ル部材は、一方の対向する部材の開口部の内周面に先端外側が摺接する弾性作用部と、他方の対向する部材に装着される装着部と、弾性作用部と装着部との間を繋ぐ中間部及び連結部とで形成され、中間部を薄肉状に形成すると共に中間部より弾性作用部を肉厚に形成し、弾性作用部と中間部を連結部に対して逆円錐形状に形成されているので、装着部が取り付けられた固定側の他方の対向する部材と、弾性作用部が摺接される摺動側の回転体となる一方の対向する部材の縁部内周面の間に振れや偏芯が存在しても、厚肉状の弾性作用部が回転体にならい易く、弾性作用部の接触圧を下げる事が出来るので、回転抵抗が減り、回転体がスム−ズに回転でき、軽い回転性能と高い防水性能が得られる。又、弾性作用部と装着部との間の偏芯や振れをより効果的に除去出来、接触圧を低くしても回転体を弾性作用部がより追従し易くなる。
【図面の簡単な説明】
【図１】  第１実施例はフロントドラグ方式の魚釣用スピニングリ−ルで、スプ−ルとスプ−ル軸の要部断面平面図と一部拡大断面平面図である。
【図２】  同スプ−ルの分解断面平面図である。
【図３】  同スプ−ル軸とスプ−ル支持部材の拡大断面平面図である。
【図４】  同押圧部材の拡大平面図である。
【図５】  同クリック係合子の拡大平面図である。
【図６】  第２実施例はフロントドラグ方式の魚釣用スピニングリ−ルで、スプ−ルとスプ−ル軸の一部拡大断面平面図である。
【図７】  ３実施例は魚釣用リ−ルをフロントドラグ方式の魚釣用スピニングリ−ルで、スプ−ルとスプ−ル軸の一部拡大断面平面図である。
【図８】  第４実施例は魚釣用リ−ルをフロントドラグ方式の魚釣用スピニングリ−ルで、スプ−ルとスプ−ル軸の一部拡大断面平面図である。
【図９】  第５実施例は魚釣用リ−ルをフロントドラグ方式の魚釣用スピニングリ−ルで、スプ−ルとスプ−ル軸の一部拡大断面平面図である。
【図１０】  第６実施例は魚釣用リ−ルをリアドラグ方式の魚釣用スピニングリ−ルで、魚釣用スピニングリ−ルの断面側面図である。
【図１１】  同リ−ル本体前側の拡大断面側面図、図１２はリア側リ−ル本体とドラグ調整部材の拡大断面側面図である。
【図１２】  同リア側リ−ル本体とドラグ調整部材の拡大断面側面図である。
【図１３】  第７実施例は魚釣用スピニングリ−ルの釣糸案内部の断面側面図である。
【図１４】  同釣糸案内部の分解断面側面図である。
【図１５】  第８実施例は魚釣用リ−ルを両軸受型電動リ−ルで、電動リ−ルの断面背面図である。
【図１６】  同ハンドル側の電動リ−ルの拡大断面背面図と要部断面背面図である。
【符号の説明】
５、５′、５″  弾性シ−ル部材
５ａ、５ｉ  弾性作用部
５ｂ  装着部
５ｄ、５ｈ  中間部
５ｃ  連結部
６、６ｈ、１８、１８ｄ、２９ａ、３０、９４、９４ｂ  一方の対向する部材（ナット部材の開口部、リ−ル本体の防水用摺接部、ドラグ制動調整ツマミの防水用摺接部）
１ａ、６ｂ、４、４′、４ｊ、９、９ｃ  他方の対向する部材（ドラク調整部材、クリック係合子ホルダ−からなる押圧部材、ドラグ調整部材の係合凹部、側板の係合凹部  ）
【図１】
0003942834.tif 000002
【図２】
0003942834.tif 000003
【図３】
0003942834.tif 000004
【図４】
0003942834.tif 000005
【図５】
0003942834.tif 000006
【図６】
0003942834.tif 000007
【図７】
0003942834.tif 000008
【図８】
0003942834.tif 000009
【図９】
0003942834.tif 000010
【図１０】
0003942834.tif 000011
【図１１】
0003942834.tif 000012
【図１２】
0003942834.tif 000013
【図１３】
0003942834.tif 000014
【図１４】
0003942834.tif 000015
【図１５】
0003942834.tif 000016
【図１６】
0003942834.tif 000017